(57)【要約】【課題】収納物の高さが不揃いにならず、目的物を容易に収納梱包でき、肉薄の台紙を使用し多段積み重ねることに十分耐えられる段ボール箱の提供。【解決手段】底板１に対し主側壁板４，５を直角に起立し、仕切壁板８，９を副側壁板４′，５′に対し直角に折曲し、その副側壁板４′，５′を主側壁板４，５に対し直角に折曲し、底板１に対し主側壁板２を直角に起立し、その補強兼糊代片２′，２″を主側壁板２に対し直角に折曲し、仕切壁板８，９の遊端辺縁の糊代片８′，９′を主側壁板２の内面に貼着し、上記補強兼糊代片２′，２″の外面を主側壁板４，５の内面に貼着して、底板１上に、空室ｂ，ｂ′を区画形成し、主側壁板３を底板１に対し直角に起立して空室ｂ，ｂ′を形成している副側壁板４′，５′の外面に重合貼着し、蓋板１２を、主側壁板２に対し直角に折曲して、上記空室ｂ，ｂ′の上面開口を閉鎖してなる段ボール箱。【選択図】  図２
2004256134.tif 000002
【特許請求の範囲】
【請求項１】
台紙ａが、横長方形の底板１の両側対向長辺縁にそれと同形同大の主側壁板２，３を連設するとともに、両側対向短辺縁には略正方形の主側壁板４，５を連設し、その主側壁板４，５の一側辺縁には同じく略正方形の副側壁板４′，５′を連設し、その副側壁板４′，５′と上記主側壁板３との間に切込み６，７を形成して、かつ、その主側壁板３と並列する状態にして連設し、上記副側壁板４′，５′の一側辺縁（主側壁板４，５と反対側になる辺縁）に仕切壁板８，９を連設し、さらに、その仕切壁板８，９の遊端辺縁に糊代片８′，９′を連設し、かつ、上記主側壁板２の両側対向短辺縁に補強兼糊代片２′，２″を連設し、該主側壁板２の一側長辺縁（底板１と反対側になる辺縁）には底板１（および主側壁板２，３）と同形同大の蓋板１２を連設してなり、
その台紙ａの水平配置した台紙ａの底板１に対して、主側壁板４，５を副側壁板４′、５′および仕切壁板８，９とともに直角に起立し、その仕切壁板８，９を副側壁板４′，５′に対して直角に折曲し、かつ、その副側壁板４′，５′を上記主側壁板４，５に対し直角に折曲し、さらに、上記底板１に対して主側壁板２を補強兼糊代片２′，２″とともに直角に起立し、かつ、その補強兼糊代片２′，２″を主側壁板２に対して直角に折曲し、上記仕切壁板８，９の遊端辺縁の糊代片８′，９′を主側壁板２の内面に貼着するとともに、上記補強兼糊代片２′，２″の外面を主側壁板４，５の内面に貼着することによって、底板１上に、主側壁板２，４，５と副側壁板４′，５′および仕切壁板８，９とが囲繞する空室ｂ，ｂ′を、その仕切壁板８，９を隣接重合させた状態で区画形成し、
主側壁板３を底板１に対し直角に起立し、それを上記空室ｂ，ｂ′を形成している副側壁板４′，５′の外面に重合貼着し、
蓋板１２を、上記主側壁板２に対し直角に折曲して、上記空室ｂ，ｂ′の上面開口を閉鎖するとともに、該蓋板１２の糊代片１５および１２′，１２″を主側壁板３，４，５の外面に重合貼着してなることを特徴とする段ボール箱。
【請求項２】
台紙ａが、横長方形の底板１の両側対向長辺縁にそれと同形同大の主側壁板２，３を連設するとともに、両側対向短辺縁には略正方形の主側壁板４，５を連設し、その主側壁板４，５の一側辺縁には同じく略正方形の副側壁板４′，５′を連設し、その副側壁板４′，５′と上記主側壁板３との間に切込み６，７を形成して、かつ、その主側壁板３と並列する状態にして連設し、上記副側壁板５′の一側辺縁（主側壁板５と反対側になる辺縁）に仕切壁板９を連設し、さらに、その仕切壁板９の遊端辺縁に糊代片９′を連設し、かつ、上記主側壁板２の両側対向短辺縁に補強兼糊代片２′，２″を連設し、該主側壁板２の一側長辺縁（底板１と反対側になる辺縁）には底板１（および主側壁板２，３）と同形同大の蓋板１２を連設してなり、
その台紙ａの水平配置した台紙ａの底板１に対して、主側壁板４，５を副側壁板４′、５′および仕切壁板９とともに直角に起立し、その仕切壁板９を副側壁板５′に対して直角に折曲し、かつ、その副側壁板５′を上記主側壁板４，５に対し直角に折曲し、さらに、上記底板１に対して主側壁板２を補強兼糊代片２′，２″とともに直角に起立し、かつ、その補強兼糊代片２′，２″を主側壁板２に対して直角に折曲し、上記仕切壁板９の遊端辺縁の糊代片９′を主側壁板２の内面に貼着するとともに、上記補強兼糊代片２′，２″の外面を主側壁板４，５の内面に貼着することによって、底板１上に、主側壁板２，４，５と副側壁板４′，５′および仕切壁板９とが囲繞する空室ｂ，ｂ′を区画形成し、
主側壁板３を底板１に対し直角に起立し、それを上記空室ｂ，ｂ′を形成している副側壁板４′，５′の外面に重合貼着し、
蓋板１２を、上記主側壁板２に対し直角に折曲して、上記空室ｂ，ｂ′の上面開口を閉鎖するとともに、該蓋板１２の糊代片１５および１２′，１２″を主側壁板３，４，５の外面に重合貼着してなることを特徴とする段ボール箱。
【請求項３】
台紙ａが、横長方形の底板１の両側対向長辺縁にそれと同形同大の主側壁板２，３を連設するとともに、両側対向短辺縁には略正方形の主側壁板４，５を連設し、その主側壁板４，５の一側辺縁には同じく略正方形の副側壁板４′，５′を連設し、その副側壁板４′，５′と上記主側壁板３との間に切込み６，７を形成して、かつ、その主側壁板３と並列する状態にして連設し、上記副側壁板５′の一側辺縁（主側壁板５と反対側になる辺縁）に仕切壁板９を連設し、かつ、上記主側壁板２の両側対向短辺縁に補強兼糊代片２′，２″を連設し、該主側壁板２の一側長辺縁（底板１と反対側になる辺縁）には底板１（および主側壁板２，３）と同形同大の蓋板１２を連設してなり、
その台紙ａの水平配置した台紙ａの底板１に対して、主側壁板４，５を副側壁板４′、５′および仕切壁板９とともに直角に起立し、その仕切壁板９を副側壁板５′に対して直角に折曲し、かつ、その副側壁板５′を上記主側壁板４，５に対し直角に折曲し、さらに、上記底板１に対して主側壁板２を補強兼糊代片２′，２″とともに直角に起立し、かつ、その補強兼糊代片２′，２″を主側壁板２に対して直角に折曲し、上記補強兼糊代片２′，２″の外面を主側壁板４，５の内面に貼着することによって、底板１上に、主側壁板２，４，５と副側壁板４′，５′および仕切壁板９とが囲繞する空室ｂ，ｂ′を区画形成し、
主側壁板３を底板１に対し直角に起立し、それを上記空室ｂ，ｂ′を形成している副側壁板４′，５′の外面に重合貼着し、
蓋板１２を、上記主側壁板２に対し直角に折曲して、上記空室ｂ，ｂ′の上面開口を閉鎖するとともに、該蓋板１２の糊代片１５および１２′，１２″を主側壁板３，４，５の外面に重合貼着してなることを特徴とする段ボール箱。
【請求項４】
請求項１，２または３記載の段ボール箱を組み立てる初期において、すなわち、主側壁板４，５を直角に起立する前に、底板１の所定部位に目的物を載せておくことを特徴とする段ボール箱による収納梱包法。
【請求項５】
請求項１，２または３記載の段ボール箱を組み立てる途中において、すなわち、上記空室ｂ，ｂ′を囲繞形成した時点で、目的物をその各空室ｂ，ｂ′に収納することを特徴とする段ボール箱による収納梱包法。
【発明の詳細な説明】
【０００１】
【発明の属する技術分野】
本発明は、内部を仕切壁板で二つの空室に区画した段ボール箱およびそれによる収納梱包法に関する。
【０００２】
【従来の技術】
この種の段ボール箱としては、既に各種構造のものが提案されている。
例えば、特開２００１−３２８６２０号公報（特許文献１）記載のものは、一重の周壁により形成される箱本体内を、仕切壁板で区画した各室の底部に底板の一重部分と二重部分ができ、そこに収納したペットボトル等の目的物の高さが不揃いになるのを、底部全域で底板を二重にして段差を生じないように改善し、そのことにより同時に、底部全域の強度の向上を図っている。
【０００３】
【特許文献１】
特開２００１−３２８６２０号公報
【０００４】
【発明が解決しようとする課題】
段ボール箱に目的物を収納梱包する作業を、所定の自動収納梱包ラインで自動的に行う場合、底部を二重にする上記のような段ボール箱にあっては、当該段ボール箱を組み立てた後に、その段ボール箱に上面開口を通じて収納物を入れざるを得ないと認められる。
【０００５】
それは、組立て途中の一重の底部に目的物を乗載した後で、それらの間に他の底板を挿入することにより二重にすることは困難だからである。
また、目的物を収納梱包した段ボール箱は、その出荷輸送および保管の何れにおいても、複数段に積み重ねられるのが普通であるが、その場合には、特に下段のものが圧し潰されるのを避けなければならない。
そのためには、  特許文献１記載の上記段ボール箱のように、一重の周壁の場合には、肉厚の段ボールを採用するとか、他の補強材を使うなどして所定の補強を行う必要があるという不利が生じる。
【０００６】
そこで本発明は、第１に、底部を一重にして、段差が生じることをなくし収納物の高さが不揃いにならないようにするとともに、組立ての初期または途中適宜の時期にその一重の底部に目的物を載せることにより所定の自動収納梱包ラインにおいて極めて容易に目的物を収納梱包することができ、第２に、周壁の対向する一組の主側壁板を二重構造に、他の一組の主側壁板を一重構造にすることにより、比較的肉薄の段ボールを使用しても出荷輸送および保管の際に複数段積み重ねることに、十分耐えられる強度を有する段ボール箱を提供しようとするものである。
【０００７】
【課題を解決するための手段】
請求項１記載の本発明段ボール箱は次の構成からなる。
（１）  台紙ａが、横長方形の底板１の両側対向長辺縁にそれと同形同大の主側壁板２，３を連設するとともに、両側対向短辺縁には略正方形の主側壁板４，５を連設し、その主側壁板４，５の一側辺縁には同じく略正方形の副側壁板４′，５′を連設し、その副側壁板４′，５′と上記主側壁板３との間に切込み６，７を形成して、かつ、その主側壁板３と並列する状態にして連設し、上記副側壁板４′，５′の一側辺縁（主側壁板４，５と反対側になる辺縁）に仕切壁板８，９を連設し、さらに、その仕切壁板８，９の遊端辺縁に糊代片８′，９′を連設し、かつ、上記主側壁板２の両側対向短辺縁に補強兼糊代片２′，２″を連設し、該主側壁板２の一側長辺縁（底板１と反対側になる辺縁）には底板１（および主側壁板２，３）と同形同大の蓋板１２を連設している。
（２）  その台紙ａの水平配置した台紙ａの底板１に対して、主側壁板４，５を副側壁板４′、５′および仕切壁板８，９とともに直角に起立し、その仕切壁板８，９を副側壁板４′，５′に対して直角に折曲し、かつ、その副側壁板４′，５′を上記主側壁板４，５に対し直角に折曲し、さらに、上記底板１に対して主側壁板２を補強兼糊代片２′，２″とともに直角に起立し、かつ、その補強兼糊代片２′，２″を主側壁板２に対して直角に折曲し、上記仕切壁板８，９の遊端辺縁の糊代片８′，９′を主側壁板２の内面に貼着するとともに、上記補強兼糊代片２′，２″の外面を主側壁板４，５の内面に貼着することによって、底板１上に、主側壁板２，４，５と副側壁板４′，５′および仕切壁板８，９とが囲繞する空室ｂ，ｂ′を、その仕切壁板８，９を隣接重合させた状態で区画形成している。
（３）  主側壁板３を底板１に対し直角に起立し、それを上記空室ｂ，ｂ′を形成している副側壁板４′，５′の外面に重合貼着している。
（４）  蓋板１２を、上記主側壁板２に対し直角に折曲して、上記空室ｂ，ｂ′の上面開口を閉鎖するとともに、該蓋板１２の糊代片１５および１２′，１２″を主側壁板３，４，５の外面に重合貼着している。
【０００８】
請求項２記載の本発明段ボール箱は次の構成からなる。
（１）  台紙ａが、横長方形の底板１の両側対向長辺縁にそれと同形同大の主側壁板２，３を連設するとともに、両側対向短辺縁には略正方形の主側壁板４，５を連設し、その主側壁板４，５の一側辺縁には同じく略正方形の副側壁板４′，５′を連設し、その副側壁板４′，５′と上記主側壁板３との間に切込み６，７を形成して、かつ、その主側壁板３と並列する状態にして連設し、上記副側壁板５′の一側辺縁（主側壁板５と反対側になる辺縁）に仕切壁板９を連設し、さらに、その仕切壁板９の遊端辺縁に糊代片９′を連設し、かつ、上記主側壁板２の両側対向短辺縁に補強兼糊代片２′，２″を連設し、該主側壁板２の一側長辺縁（底板１と反対側になる辺縁）には底板１（および主側壁板２，３）と同形同大の蓋板１２を連設してなる。
（２）  その台紙ａの水平配置した台紙ａの底板１に対して、主側壁板４，５を副側壁板４′、５′および仕切壁板９とともに直角に起立し、その仕切壁板９を副側壁板５′に対して直角に折曲し、かつ、その副側壁板５′を上記主側壁板４，５に対し直角に折曲し、さらに、上記底板１に対して主側壁板２を補強兼糊代片２′，２″とともに直角に起立し、かつその補強兼糊代片２′，２″を主側壁板２に対して直角に折曲し、上記仕切壁板９の遊端辺縁の糊代片９′を主側壁板２の内面に貼着するとともに、上記補強兼糊代片２′，２″の外面を主側壁板４，５の内面に貼着することによって、底板１上に、主側壁板２，４，５と副側壁板４′，５′および仕切壁板９とが囲繞する空室ｂ，ｂ′を区画形成している。
（３）  主側壁板３を底板１に対し直角に起立し、それを上記空室ｂ，ｂ′を形成している副側壁板４′，５′の外面に重合貼着している。
（４）  蓋板１２を、上記主側壁板２に対し直角に折曲して、上記空室ｂ，ｂ′の上面開口を閉鎖するとともに、該蓋板１２の糊代片１５および１２′，１２″を主側壁板３，４，５の外面に重合貼着している。
【０００９】
請求項３記載の本発明段ボール箱の構成は次のとおりである。
（１）  台紙ａが、横長方形の底板１の両側対向長辺縁にそれと同形同大の主側壁板２，３を連設するとともに、両側対向短辺縁には略正方形の主側壁板４，５を連設し、その主側壁板４，５の一側辺縁には同じく略正方形の副側壁板４′，５′を連設し、その副側壁板４′，５′と上記主側壁板３との間に切込み６，７を形成して、かつ、その主側壁板３と並列する状態にして連設し、上記副側壁板５′の一側辺縁（主側壁板５と反対側になる辺縁）に仕切壁板９を連設し、かつ、上記主側壁板２の両側対向短辺縁に補強兼糊代片２′，２″を連設し、該主側壁板２の一側長辺縁（底板１と反対側になる辺縁）には底板１（および主側壁板２，３）と同形同大の蓋板１２を連設してなる。
（２）  その台紙ａの水平配置した台紙ａの底板１に対して、主側壁板４，５を副側壁板４′、５′および仕切壁板９とともに直角に起立し、その仕切壁板９を副側壁板５′に対して直角に折曲し、かつ、その副側壁板５′を上記主側壁板４，５に対し直角に折曲し、さらに、上記底板１に対して主側壁板２を補強兼糊代片２′，２″とともに直角に起立し、かつ、その補強兼糊代片２′，２″を主側壁板２に対して直角に折曲し、上記補強兼糊代片２′，２″の外面を主側壁板４，５の内面に貼着することによって、底板１上に、主側壁板２，４，５と副側壁板４′，５′および仕切壁板９とが囲繞する空室ｂ，ｂ′を区画形成している。
（３）  主側壁板３を底板１に対し直角に起立し、それを上記空室ｂ，ｂ′を形成している副側壁板４′，５′の外面に重合貼着している。
（４）  蓋板１２を、上記主側壁板２に対し直角に折曲して、上記空室ｂ，ｂ′の上面開口を閉鎖するとともに、該蓋板１２の糊代片１５および１２′，１２″を主側壁板３，４，５の外面に重合貼着している。
【００１０】
請求項４記載の本発明段ボール箱による収納梱包法は、請求項１，２または３記載の段ボール箱を組み立てる初期において、すなわち、主側壁板４，５を直角に起立する前に、底板１の所定部位に目的物を載せておくことを内容とするものである。
【００１１】
請求項５記載の本発明段ボール箱による収納梱包法は、請求項１，２または３記載の段ボール箱を組み立てる途中において、すなわち、上記空室ｂ，ｂ′を囲繞形成した時点で、目的物をその各空室ｂ，ｂ′に収納することを内容とするものである。
【００１２】
【発明の実施の形態】
以下本発明段ボール箱を図示の実施形態について詳しく説明する。
【００１３】
実施形態１（図１〜４）
ａは台紙で、それはまず、底板１の両側対向長辺縁にそれと同形同大の主側壁板２，３を連設している。
４，５は上記底板１の両側対向短辺縁に連設された略正方形の主側壁板で、その主側壁板４，５の一側辺縁には同じく略正方形の副側壁板４′、５′を、その副側壁板４′、５′と上記主側壁板３との間に切込み６，７を形成し、かつ、その主側壁板３と並列する状態にして連設している。
【００１４】
８，９は上記副側壁板４′，５′の一側辺縁（主側壁板４，５と反対側になる辺縁）に連設した仕切壁板、８′，９′はその仕切壁板８，９の遊端辺縁に連設した糊代片である。
【００１５】
２′，２″は主側壁板２の両側対向短辺縁に連設した補強兼糊代片で、上記主側壁板４，５との間に切込み１１，１１′を形成している。
【００１６】
１２は上記主側壁板２の一側長辺縁（底板１と反対側になる辺縁）に連設した蓋板で、この蓋板１２は、底板１（および主側壁板２，３）と同形同大の横長方形をなしている。
１２′，１２″は蓋板１２の両側対向短辺縁に連設した糊代片で、上記糊代片２′，２″との間に切込み１３，１４を形成している。１５は蓋板１２の外側長辺縁に連設した糊代片である。
【００１７】
１６……は、補強兼糊代片２′、主側壁板４，５および糊代片１２′，１２″の所要位置に開設した手掛け用孔である。
【００１８】
上記台紙ａを、例えば所定の自動収納梱包ライン上で、本発明段ボール箱に組み立てるには以下のようにする。
【００１９】
まず、水平配置した台紙ａの底板１に対して主側壁板４，５を副側壁板４′、５′および仕切壁板８，９とともに直角に起立し、その仕切壁板８，９を副側壁板４′，５′に対して直角に折曲し、さらに、その副側壁板４′，５′を上記主側壁板４，５に対し直角に折曲する。
かつ、底板１に対して主側壁板２を補強兼糊代片２′，２″とともに直角に起立し、さらに、その補強兼糊代片２′，２″を主側壁板２に対して直角に折曲する。
【００２０】
そして、上記仕切壁板８，９の遊端辺縁の糊代片８′，９′を主側壁板２の内面に貼着するとともに、上記補強兼糊代片２′，２″をの外面を主側壁板４，５の内面に貼着する。
これによって、底板１上に、主側壁板２，４，５と副側壁板４′，５′および仕切壁板８，９とが囲繞する空室ｂ，ｂ′が、その仕切壁板８，９を隣接重合させた状態で区画形成される（図２）。
【００２１】
続いて、主側壁板３を底板１に対し直角に起立し、それを上記空室ｂ，ｂ′を形成している副側壁板４′，５′の外面に重合貼着する（図３）。
その後、蓋板１２を、上記主側壁板２に対し直角に折曲して、上記空室ｂ，ｂ′の上面開口を閉鎖する。
【００２２】
さらに、上記糊代片１５および１２′，１２″を蓋板１２に対して直角に折曲垂下し、それらを主側壁板３，４，５の外面に重合貼着する。
【００２３】
このようにして、所期の段ボール箱Ａ（図４）を組み立てるものであるが、収納梱包しようとする目的物は、その組立ての初期において、すなわち、主側壁板４，５を直角に起立する前に底板１の所定部位に載せておくか、あるいは、組立て途中において、すなわち、主側壁板４，５と副側壁板４′，５′および仕切壁板８，９等とで空室ｂ，ｂ′を囲繞形成した時点で、その各空室ｂ，ｂ′に収納するかするもので、そのいずれを採択するかは、自動収納梱包ラインの仕様等に基づき適宜決定するとよいことである。
【００２４】
上記空室ｂ，ｂ′に収納した目的物の取出しは、蓋板１２をその輪郭線に沿って切断することにより、あるいは、蓋板１２と主側壁板２または３（および副側壁板４′，５′）とをそれらを連続させたままその輪郭線に沿って切断することにより開き、空室ｂ，ｂ′の上面または側面から双方の目的物を取り出せばよいものである。
【００２５】
しかし、段ボール箱Ａによれば、例えば、一方の空室ｂまたはｂ′に収納している目的物だけを取り出し、他方の空室ｂ′またはｂの目的物についてはそのまま収納梱包状態にしておき、それについては後刻あらためて取り出すようにすることができる。
【００２６】
それには、例えば一方の空室ｂから目的物を取り出す場合について述べると、蓋板１２の空室ｂの上面開口周縁に対応している部分、および、補強兼糊代片２′との重合部分を含む主側壁板４の辺縁部分、すなわち、図４の点線１７で示す部分に沿って所要のカッターによる切込みを入れ、これにより、主側壁板４およびこれに連続する蓋板１２の半部を、開くと、空室ｂがその上面と側面を開放する。
したがって、一方の空室ｂ内の目的物は、この開放部分を通じ容易に取り出すことができる。他方の空室ｂ′は、開放されることなく、当該目的物をそのまま収納梱包状態に維持する。
【００２７】
なお、上記のように、蓋板１２等をその輪郭線に沿って切断する場合、または点線１７で示す部分に沿って切り開く場合、カッターによる以外、例えば、該当部分に予めミシン目を入れておくとかテープ等の切り離し材を沿設しておき、これらに沿って引きちぎるようにしてもよい。
【００２８】
実施形態２（図５〜８）
この実施形態２は、上記実施形態１における仕切壁板８とその糊代片８′を備えていないこと、したがって空室ｂ，ｂ′の仕切りを仕切壁板９だけによっていることにおいて、上記実施形態１と相違し、その他の構成および組立ては、その実施形態１と実質上同じである。
【００２９】
よって、上記その他の構成および組立てについては、図面の同一部分に同一の符号を付すにとどめ、その説明を省略する。
【００３０】
実施形態３（図９〜１２）
この実施形態３は、上記実施形態１における仕切壁板８とその糊代片８′を備えていないこと、したがって空室ｂ，ｂ′の仕切りを仕切壁板９だけによっていること、しかもその仕切壁板９に糊代片９′を連設することなく、したがって、該仕切壁板９の遊端辺縁を主側壁板２の内面に貼着していないことにおいて、上記実施形態１と相違し、その他の構成および組立ては、その実施形態１と実質上同じである。
【００３１】
よって、上記その他の構成および組立てについては、図面の同一部分に同一の符号を付すにとどめ、その説明を省略する。
【００３２】
【発明の効果】
以上詳述したところから明らかなように、本発明によれば次の効果を奏するものである。
【００３３】
本発明段ボール箱は、目的物を収納する空室ｂ，ｂ′が、その底部を一重の底板１で形成し、段差を生じることをなくしているから当該収納物の高さを不揃いにすることなく整然と収納できる。
このことは、自動収納梱包ラインにおいて、上記空室ｂ，ｂ′に目的物を収納梱包するのを支障なく正確に実施できることになる。
【００３４】
本発明段ボール箱は、主側壁板３と副側壁板４′，５′とによる二重壁部分と、主側壁板４，５と補強兼糊代片２′，２″との重合部分を有するから、その周壁が補強され、比較的肉薄の段ボールを使用しても出荷輸送および保管の際に複数段積み重ねることに、十分耐えられる強度を有する。
【図面の簡単な説明】
【図１】本発明の第１実施形態に係る段ボール箱の台紙の展開図である。
【図２】上記段ボール箱の組立て状況を説明するための斜視図である。
【図３】同じく上記段ボール箱の組立て状況を説明するための斜視図である。
【図４】上記段ボール箱の組上がり状態の斜視図である。
【図５】本発明の第２実施形態に係る段ボール箱の台紙の展開図である。
【図６】上記段ボール箱の組立て状況を説明するための斜視図である。
【図７】同じく上記段ボール箱の組立て状況を説明するための斜視図である。
【図８】上記段ボール箱の組上がり状態の斜視図である。
【図９】本発明の第３実施形態に係る段ボール箱の台紙の展開図である。
【図１０】上記段ボール箱の組立て状況を説明するための斜視図である。
【図１１】同じく上記段ボール箱の組立て状況を説明するための斜視図である。
【図１２】上記段ボール箱の組上がり状態の斜視図である。
【符号の説明】
ａ          台紙
ｂ，ｂ′    空室
１          底板
２〜５      主側壁板
２′，２″  補強兼糊代片
４′，５′  副側壁板
６，７      切込み
８，９      仕切壁板
８′，９′  糊代片
１０，１１  切込み
１２        蓋板
１２′，１２″  糊代片
１３，１４  切込み
１５        糊代片
【図１】
2004256134.tif 000003
【図２】
2004256134.tif 000004
【図３】
2004256134.tif 000005
【図４】
2004256134.tif 000006
【図５】
2004256134.tif 000007
【図６】
2004256134.tif 000008
【図７】
2004256134.tif 000009
【図８】
2004256134.tif 000010
【図９】
2004256134.tif 000011
【図１０】
2004256134.tif 000012
【図１１】
2004256134.tif 000013
【図１２】
2004256134.tif 000014